(57)【要約】  家電製品用支持レベリング装置及び家電製品であって、支持レベリング装置はレベリング底脚を備える。当該レベリング底脚は、油圧接続部材（１００）、接続スリーブ（３００）、フレキシブル変形フィルム（４００）、調整脚（５００）及び油圧媒体（２００）を含む。フレキシブル変形フィルム（４００）は、辺縁が油圧接続部材（１００）と接続スリーブ（３００）との接続箇所に密封装着され、油圧接続部材（１００）との間に収容室を形成する。油圧媒体（２００）は収容室内に設けられる。レベリング底脚が平らでない支持面に配置されると、調整脚（５００）が接続スリーブ（３００）の軸方向に運動してフレキシブル変形フィルム（４００）を押圧し、変形させる。すると、収容室が押圧されて容積が変化し、油圧媒体が圧力を受けて調整脚（５００）に作用することでレベリングが行われる。【選択図】図２
2020531193.tif 000002
【特許請求の範囲】
【請求項１】
レベリング底脚を含み、前記レベリング底脚は、
油圧接続部材と、
前記油圧接続部材に固定接続される接続スリーブと、
辺縁が前記油圧接続部材と前記接続スリーブとの接続箇所に密封装着され、前記油圧接続部材との間に収容室を形成するフレキシブル変形フィルムと、
前記接続スリーブ内に設置されて軸方向に対し移動可能な調整脚と、
前記収容室内に設けられる油圧媒体、を含み、
前記レベリング底脚が平らでない支持面に配置されると、前記調整脚が前記接続スリーブの軸方向に運動し、前記フレキシブル変形フィルムを押圧して変形させることで、前記フレキシブル変形フィルムと前記油圧接続部材の間の前記収容室が押圧されて容積が変化し、前記油圧媒体が圧力を受けて前記調整脚に作用することでレベリングが行われることを特徴とする家電製品用支持レベリング装置。
【請求項２】
前記油圧接続部材は開放された収容空間を有し、前記接続スリーブは前記油圧接続部材の前記収容空間の開口に固定装着され、
前記フレキシブル変形フィルムの辺縁は前記油圧接続部材と前記接続スリーブとの前記接続箇所に密封装着され、前記収容空間との間に前記収容室を形成することを特徴とする請求項１に記載の家電製品用支持レベリング装置。
【請求項３】
前記フレキシブル変形フィルムは、一体成型されるフィルム本体部と密封接続部を含み、前記密封接続部は前記フィルム本体部の周方向の辺縁全体に位置しており、前記密封接続部の形状は、前記油圧接続部材の前記収容空間の開口形状と、前記接続スリーブにおける前記油圧接続部材との前記接続箇所の構造形状と同じであり、前記密封接続部は、前記油圧接続部材と前記接続スリーブとの前記接続箇所に密封装着されて周方向全体を環状に密封し、
好ましくは、前記収容空間の開口は円形の開口をなしており、前記接続スリーブにおける前記油圧接続部材との前記接続箇所は環状の接続構造をなしており、前記密封接続部はリング状をなしていることを特徴とする請求項２に記載の家電製品用支持レベリング装置。
【請求項４】
前記フィルム本体部は、平面のフィルム、又は伸縮可能な波形を有するフィルム、又は凹溝を備えるフィルムであることを特徴とする請求項３に記載の家電製品用支持レベリング装置。
【請求項５】
前記油圧接続部材における前記接続スリーブとの接続位置、及び／又は、前記接続スリーブにおける前記油圧接続部材との接続位置には環状の凹溝が設けられており、前記フレキシブル変形フィルムの辺縁は、前記油圧接続部材と前記接続スリーブに押圧されて環状の凹溝内に密封され、密封装着を実現することを特徴とする請求項１〜４のいずれか一項に記載の家電製品用支持レベリング装置。
【請求項６】
前記接続スリーブは環状構造をなしており、前記環状構造は前記油圧接続部材の前記収容空間の開口に適合しており、前記調整脚は軸方向に運動可能に前記環状構造の内環内部に設置され、前記環状構造の内環には、前記調整脚の一端の抜け落ちを防止するストッパ構造が設けられていることを特徴とする請求項２に記載の家電製品用支持レベリング装置。
【請求項７】
前記調整脚は、一端が前記接続スリーブ内に位置規制及び装着されるとともに、他端が伸出して支持面と接触し、前記接続スリーブの内環の周壁には位置規制スライド溝が設けられており、前記調整脚には位置規制スライダが設けられており、前記位置規制スライダは、上下にスライド可能に前記位置規制スライド溝内に装着され、前記ストッパ構造は、前記位置規制スライド溝の底部に設置されて底部を閉塞することを特徴とする請求項６に記載の家電製品用支持レベリング装置。
【請求項８】
前記調整脚のうち前記フレキシブル変形フィルムと接触する一端の端面は平坦な端面となっており、
好ましくは、前記調整脚は中実の柱状体であり、前記中実の柱状体の上端面は平坦な端面となっていることを特徴とする請求項１に記載の家電製品用支持レベリング装置。
【請求項９】
前記油圧接続部材の内部には前記収容室と連通するスロットル流路が設けられており、前記油圧接続部材は前記スロットル流路と連通する油圧ノズルを含み、
少なくとも２つの前記レベリング底脚が油圧パイプを介して前記油圧ノズルに接続されることで、前記レベリング底脚間における前記油圧媒体の流動が実現されてレベリングが行われることを特徴とする請求項１に記載の家電製品用支持レベリング装置。
【請求項１０】
請求項１〜９のいずれか一項に記載の家電製品用支持レベリング装置を備える家電製品。
【発明の詳細な説明】
【技術分野】
【０００１】
本発明は、家電製品の支持及びレベリングの技術分野に関し、具体的には、家電製品用支持レベリング装置及び家電製品に関する。
【背景技術】
【０００２】
一般的に、家電製品にはハウジングの底部にレベリング装置が設けられており、家電製品の設置時にレベリング装置を調節することで安定した設置状態を実現可能である。また、レベリングして設置したあと、レベリング装置は安定を維持するように家電製品を支持可能となる。
【０００３】
洗濯機の場合を例示すると、一般的に、従来の洗濯機はハウジング又は全体の底部にボルト底脚が装着されている。ボルト底脚は、ボルト、ナットワッシャ及びゴムパッドを含む。ナットワッシャはボルト上で上下に回転可能とされ、ボルトもまたハウジング底板のネジ孔内で上下に回転可能とされる。底板のネジ孔に対するボルト底脚のボルトのねじ込み長さによって洗濯機の高さ調整が実現されるが、大部分の洗濯機では、底脚を反時計回りに回転させることで高さが高くなり、時計回りに回転させることで高さが低くなるよう調整される。当該ボルト底脚の高さを調整したあとに、緩み防止用のナットワッシャをしっかりと締めることで安定が維持される。
【０００４】
前記洗濯機の底脚によって洗濯機のレベリングは実現されるものの、ユーザは手動で調節を行わねばならない。そのため、洗濯機の重量が重かったり、設置スペースが狭かったりする場合にはユーザによる操作に不都合が生じる。また、洗濯機の長期的な動作過程で生じる震動もまた底脚のレベリングに影響を及ぼし、支持機能を容易に喪失させる結果、洗濯機の設置が水平でなくなる。
【０００５】
例えば、従来の８ＫＧドラム洗濯機は一般的に８０Ｋｇ程度と大重量のため、消費者が調節するには極めて不便であり、仮に調節を終えたとしても洗濯機を最適な状態に調整できる保証はない。洗濯機は洗浄時において、特に、０ｒ／ｍｉｎから１４００ｒ／ｍｉｎ程度まで加速して脱水する際に、水平でなかったり脚が機能しなかったりとの問題があると非常に大きく震動し、消費者の使用快適性に極めて大きな影響を及ぼす。
【０００６】
このほか、洗濯機が水平でないことに伴う震動によって底脚のネジが緩み、底脚のブラケットが垂直に移動する場合がある。洗濯機の水平状態はこのような不安定性により変動し、更に強い震動を招来し得る。こうした悪循環によって、洗濯機の使用期間が長くなるほど騒音が大きくなり、洗濯機自体も一定の損傷を受けることから、使用寿命が短縮してしまう。
【０００７】
従って、従来の洗濯機におけるレベリングには、手動で調節せねばならないため時間と手間がかかり、且つ、精度にも劣るとの課題が存在する。
【０００８】
上記に鑑みて、本発明を提案する。
【発明の概要】
【発明が解決しようとする課題】
【０００９】
上記の課題を解決するために、本発明の第１の目的は、家電製品用支持レベリング装置を提供することである。具体的には、以下の技術方案を用いる。
【課題を解決するための手段】
【００１０】
家電製品用支持レベリング装置であって、レベリング底脚を含む。前記レベリング底脚は、油圧接続部材と、前記油圧接続部材に固定接続される接続スリーブと、辺縁が油圧接続部材と接続スリーブとの接続箇所に密封装着され、油圧接続部材との間に収容室を形成するフレキシブル変形フィルムと、接続スリーブ内に設置されて軸方向に対し移動可能な調整脚と、前記収容室内に設けられる油圧媒体、を含む。レベリング底脚が平らでない支持面に配置されると、調整脚が接続スリーブの軸方向に運動し、フレキシブル変形フィルムを押圧して変形させることで、フレキシブル変形フィルムと油圧接続部材の間の収容室が押圧されて容積が変化し、油圧媒体が圧力を受けて調整脚に作用することでレベリングが行われる。
【００１１】
更に、前記油圧接続部材は開放された収容空間を有し、前記接続スリーブは油圧接続部材の収容空間の開口に固定装着される。前記フレキシブル変形フィルムの辺縁は油圧接続部材と接続スリーブとの接続箇所に密封装着され、収容空間との間に収容室を形成する。
【００１２】
更に、前記フレキシブル変形フィルムは、一体成型されるフィルム本体部と密封接続部を含む。前記密封接続部はフィルム本体部の周方向の辺縁全体に位置している。密封接続部の形状は、油圧接続部材の収容空間の開口形状と、接続スリーブにおける油圧接続部材との接続箇所の構造形状と同じである。前記密封接続部は、油圧接続部材と接続スリーブとの接続箇所に密封装着されて周方向全体を環状に密封する。好ましくは、前記収容空間の開口は円形の開口をなしており、前記接続スリーブにおける油圧接続部材との接続箇所は環状の接続構造をなしており、前記密封接続部はリング状をなしている。
【００１３】
更に、前記フィルム本体部は、平面のフィルム、又は伸縮可能な波形を有するフィルム、又は凹溝を備えるフィルムである。
【００１４】
更に、前記油圧接続部材における接続スリーブとの接続位置、及び／又は、前記接続スリーブにおける油圧接続部材との接続位置には環状の凹溝が設けられている。前記フレキシブル変形フィルムの辺縁は、油圧接続部材と接続スリーブに押圧されて環状の凹溝内に密封され、密封装着を実現する。
【００１５】
更に、前記接続スリーブは環状構造をなしており、環状構造は油圧接続部材の収容空間の開口に適合している。調整脚は軸方向に運動可能に環状構造の内環内部に設置される。環状構造の内環には、調整脚の一端の抜け落ちを防止するストッパ構造が設けられている。
【００１６】
更に、前記調整脚は、一端が接続スリーブ内に位置規制及び装着されるとともに、他端が伸出して支持面と接触する。前記接続スリーブの内環の周壁には位置規制スライド溝が設けられており、前記調整脚には位置規制スライダが設けられている。前記位置規制スライダは、上下にスライド可能に位置規制スライド溝内に装着される。前記ストッパ構造は、位置規制スライド溝の底部に設置されて底部を閉塞する。
【００１７】
更に、前記調整脚のうちフレキシブル変形フィルムと接触する一端の端面は平坦な端面となっている。好ましくは、前記調整脚は中実の柱状体であり、中実の柱状体の上端面は平坦な端面となっている。
【００１８】
更に、前記油圧接続部材の内部には収容室と連通するスロットル流路が設けられている。油圧接続部材はスロットル流路と連通する油圧ノズルを含む。少なくとも２つのレベリング底脚が油圧パイプを介して油圧ノズルに接続されることで、レベリング底脚間における油圧媒体の流動が実現されてレベリングが行われる。
【００１９】
本発明の第２の目的は、上記いずれか一項に記載の家電製品用支持レベリング装置を備える家電製品を提供することである。
【発明の効果】
【００２０】
本発明の家電製品用支持レベリング装置は、レベリング底脚が油圧の原理に基づいている。水平でないために生じた圧力差により油圧媒体が流動することで、底脚は、家電製品用底脚が平衡を取って油圧媒体の流動が停止し、自動レベリングを実現するまで、適応的な調整を自動で行う。
【００２１】
本発明のレベリング底脚は、フレキシブル変形フィルムを密封装着することで油圧接続部材との間に収容室を形成しており、油圧媒体を漏れにくいよう収容室内に設置している。また、フレキシブル変形フィルムは、水平でない場合にかかる圧力によって変形し、収容室内の油圧媒体を押圧可能である。これにより、油圧媒体は圧縮／膨張し、レベリングが安定するまで調整脚に作用する。このように、本発明のレベリング底脚はフレキシブル変形フィルムを用いて油圧媒体を密封するため、構造がシンプルで低コストであり、信頼性に優れる。
【図面の簡単な説明】
【００２２】
【図１】図１は、本発明の実施例にかかるレベリング底脚の断面図である（フレキシブル変形フィルムが変形していない状態）。
【図２】図２は、本発明の実施例にかかるレベリング底脚の断面図である（フレキシブル変形フィルムが変形した状態）。
【発明を実施するための形態】
【００２３】
以下に、図面を組み合わせて、本発明における家電製品用支持レベリング装置及び家電製品につき詳細に述べる。
【実施例１】
【００２４】
図１及び図２に示すように、本実施例で提供する家電製品用支持レベリング装置はレベリング底脚を含む。前記レベリング底脚は、油圧接続部材１００と、前記油圧接続部材１００に固定接続される接続スリーブ３００と、辺縁が油圧接続部材１００と接続スリーブ３００との接続箇所に密封装着され、油圧接続部材１００との間に収容室を形成するフレキシブル変形フィルム４００と、接続スリーブ３００内に設置されて軸方向に対し移動可能な調整脚５００と、前記収容室内に設けられる油圧媒体２００、を含む。レベリング底脚が平らでない支持面に配置されると、調整脚５００が接続スリーブ３００の軸方向に運動してフレキシブル変形フィルム４００を押圧し、変形させる。すると、フレキシブル変形フィルム４００と油圧接続部材１００の間の収容室が押圧されて容積が変化し、油圧媒体２００が圧力を受けて調整脚５００に作用することでレベリングが行われる。
【００２５】
本実施例のレベリング底脚は油圧の原理に基づく。水平でないために生じた圧力差により油圧媒体２００が流動することで、調整脚５００は、レベリング底脚が平衡を取って油圧媒体２００の流動が停止し、自動レベリングを実現するまで、適応的な調整を自動で行う。
【００２６】
本実施例では、フレキシブル変形フィルム４００を密封装着することで油圧接続部材１００との間に収容室を形成しており、油圧媒体２００を漏れにくいよう収容室内に設置している。また、フレキシブル変形フィルム４００は、水平でない場合にかかる圧力によって変形し、収容室内の油圧媒体２００を押圧可能である。これにより、油圧媒体２００は圧縮／膨張し、レベリングが安定するまで調整脚５００に作用する。このように、本実施例におけるフレキシブル変形フィルム４００を用いて油圧媒体２００を密封する方式は、構造がシンプルで低コストであり、信頼性に優れる。
【００２７】
更に、本実施例で記載する油圧接続部材１００は開放された収容空間１０４を有し、前記接続スリーブ３００が油圧接続部材１００の収容空間１０４の開口に固定装着される。また、前記フレキシブル変形フィルム４００の辺縁は油圧接続部材１００と接続スリーブ３００との接続箇所に密封装着され、収容空間１０４との間に収容室を形成する。
【００２８】
本実施例では、油圧接続部材の内部に収容空間１０４を設けている。また、レベリング底脚内に十分な油圧媒体２００を保持できるよう、フレキシブル変形フィルム４００を装着することでより容積の大きな収容室を形成可能としている。十分な油圧媒体２００は、レベリング底脚によるレベリングの要となる。このほか、フレキシブル変形フィルム４００は密封装着だけを考慮すればよく、収容空間構造を設計する必要はない。よって、フレキシブル変形フィルム４００は簡単なシート状構造として設計すればよく、構造及び装着が簡略化され、コストが抑えられる。
【００２９】
本実施例の一実施形態として、前記フレキシブル変形フィルム４００は、一体成型されるフィルム本体部と密封接続部４０１を含む。前記密封接続部４０１はフィルム本体部の周方向の辺縁全体に位置している。密封接続部４０１の形状は、油圧接続部材１００の収容空間１０４の開口形状と、接続スリーブ３００における油圧接続部材１００との接続箇所の構造形状と同じである。前記密封接続部４０１は、油圧接続部材１００と接続スリーブ３００との接続箇所に密封装着されて、周方向全体を環状に密封する。フレキシブル変形フィルム４００を周方向全体に密封装着するだけで収容室の完全密封を実現可能であり、油圧媒体２００が漏れることがないため、レベリング効果が保証される。
【００３０】
好ましくは、前記収容空間１０４の開口は円形の開口をなしており、前記接続スリーブ３００における油圧接続部材１００との接続箇所は環状の接続構造をなしている。また、前記密封接続部はリング状をなしている。
【００３１】
本実施例の前記フィルム本体部は平面のフィルムであって、構造がシンプルで低コストである。或いは、前記フィルム本体部は伸縮可能な波形を有するフィルムであって、より良好な伸縮性を有することで、油圧媒体をより良好に押圧したり復帰させたりする。或いは、前記フィルム本体部は凹溝を備えるフィルムであって、凹溝が油圧接続部材１００の収容空間１０４と連通することで、収容室の容積を増大させる。
【００３２】
本実施例の前記フレキシブル変形フィルム４００は変形可能であり、ゴム、シリカ、ポリウレタン等の材料で作製すればよい。前記フレキシブル変形フィルム４００は、調整脚５００、接続スリーブ３００、油圧接続部材１００により完全に保護されており、変形量が規制及び守られるため、破損や損傷が防止される。
【００３３】
フレキシブル変形フィルム４００の密封装着を実現するために、本実施例の前記油圧接続部材１００における接続スリーブ３００との接続位置、及び／又は、前記接続スリーブ３００における油圧接続部材１００との接続位置には環状の凹溝が設けられている。前記フレキシブル変形フィルム４００の辺縁は、油圧接続部材１００と接続スリーブ３００に押圧されて環状の凹溝内に密封され、密封装着を実現する。フレキシブル変形フィルム４００は押圧により変形し、その辺縁が環状の凹溝と密着することで密封面を形成する。これにより、密封接続が確保される。
【００３４】
更に、本実施例は、接続スリーブ３００の働きによって構造を簡略化している。前記接続スリーブ３００は環状構造をなしており、環状構造が油圧接続部材１００の収容空間１０４の開口に適合している。調整脚５００は、軸方向に運動可能に環状構造の内環内部に設置される。また、環状構造の内環には、調整脚の一端の抜け落ちを防止するストッパ構造３０３が設けられている。
【００３５】
本実施例のレベリング底脚は、油圧の原理を利用して家電製品を自動でレベリングするため、シンプル且つ確実である。調整脚５００は軸方向に対し移動可能に接続スリーブ３００内に設置されるため、家電製品の調節は上下方向に限られる。そこで、レベリングの安定性を保証するためには、接続スリーブ３００に対する調整脚５００の回動を規制する必要がある。そこで、本実施例の前記調整脚５００は、一端が接続スリーブ３００内に位置規制及び装着されるとともに、他端が伸出して支持面と接触する。また、前記接続スリーブ３００の内環の周壁には位置規制スライド溝３０２が設けられており、前記調整脚５００には位置規制スライダ５０１が設けられている。前記位置規制スライダ５０１は、上下にスライド可能に位置規制スライド溝３０２内に装着される。また、前記ストッパ構造３０３は、位置規制スライド溝３０２の底部に設置されて底部を閉塞する。
【００３６】
本実施例の位置規制スライド溝３０２は、接続スリーブ３００における内環の周壁の周方向に複数設けられる。前記位置規制スライダ５０１は調整脚５００の外周壁に設けられ、位置規制スライド溝３０２と一対一で対応している。
【００３７】
本実施例の好ましい実施形態として、前記調整脚５００のうちフレキシブル変形フィルム４００と接触する一端の端面は平坦な端面となっている。これにより、調整脚５００がフレキシブル変形フィルム４００を押圧する際に押圧による破損が回避されるため、フレキシブル変形フィルム４００の使用寿命が保証される。
【００３８】
好ましくは、前記調整脚５００は中実の柱状体であり、中実の柱状体の上端面が平坦な端面となっている。
【００３９】
本実施例における前記油圧接続部材１００の内部には、収容室と連通するスロットル流路１０１が設けられている。具体的に、スロットル流路１０１は油圧接続部材１００の収容空間と連通する。また、油圧接続部材１００は、スロットル流路１０１と連通する油圧ノズル１０２を含む。少なくとも２つのレベリング底脚が油圧パイプを介して油圧ノズル１０２に接続されることで、レベリング底脚間における油圧媒体の流動が実現されてレベリングが行われる。
【００４０】
本実施例のレベリング底脚は、油圧接続部材内にスロットル流路１０１が設けられており、油圧媒体の急速な流動が回避されることから、調節過程がより安定的となる。また、家電製品用底脚が受ける圧力の変化が大きい場合には、スロットル流路１０１で良好に緩衝可能なことから、油圧媒体が突然急速に流動して家電製品用底脚が破損するとの事態が回避される。
【００４１】
本実施例のレベリング底脚同士が油圧パイプを介して連通することで、油圧媒体がレベリング底脚間で流動可能となり、自動レベリングが実現される。
【００４２】
本実施例の油圧ノズル１０２には、油圧パイプの抜け落ちを防止する返し１０３が設けられている。
【００４３】
本実施例の油圧接続部材１００はプレート状の本体を含み、前記プレート状の本体の内部にスロットル流路１０１が設けられている。また、プレート状の本体には油圧ノズル１０２が一体成型されている。プレート状の本体の一方の側には環状構造が固定接続されており、環状構造とプレート状の本体の間に収容空間が囲繞されている。また、前記環状構造とプレート状の本体は一体成型される。
【００４４】
本実施例のレベリング底脚は、調整脚５００の底部に固定される減衰パッド６００を更に含む。減衰パッド６００の底部には筋が設計されているため、地面に対する摩擦力が向上し、安定性が強化される。前記減衰パッドは、ニトリルゴムのようなゴム材料で作製してもよいし、ポリウレタン材料で作製してもよい。当該減衰パッドは調整脚にしっかりと一体的に設置されるが、締結の技術には様々な方式がある。例えば、減衰パッドと調整脚に係接溝を設計して係接する方式、減衰パッドと調整脚の間に糊を塗布して接着する方式、調整脚に減衰パッドをインモールド成型する方式、調整脚にポリウレタンを塗布する方式等が考えられる。好ましくは、減衰パッドの地面との接触面にパターン構造を有することで地面との摩擦力を向上させる。
【００４５】
本実施例の接続スリーブ３００は油圧接続部材１００にしっかりと接続されており、図示の例ではネジ７００を使用している。また、係合溝と係合爪による固定接続や、糊による接着、ネジ・ボルトによる固定接続、熱接着による接続、超音波溶接など複数の接続方式で油圧接続部材と接続してもよい。
【００４６】
本実施例におけるレベリング底脚の油圧接続部材には、当該底脚を家電製品の底板にしっかりと接続可能とすべく、Ｎ個の固定孔（Ｎ≧１、図示省略）が開設されている。
【００４７】
好ましくは、本実施例の油圧媒体２００には作動油を使用する。
【００４８】
図１に示すように、レベリング底脚の内部に油圧媒体が充満している場合、調整脚は完全に伸出し、フレキシブル変形フィルム４００は変形しない。
【００４９】
図２に示すように、前記レベリング底脚が不均衡な大きな力を受けると、調整脚は最大可動範囲に到達するまでゆっくりと押し込まれ、内部の油圧媒体を押圧する。このとき、フレキシブル変形フィルム４００は変形する。
【００５０】
本実施例の家電製品用支持レベリング装置は、互いに連通する２つのレベリング底脚を含めばよい。この場合、家電製品底部の一方の側の２つの隅に本実施例における家電製品用支持レベリング装置の２つのレベリング底脚を装着し、他方の側に２つの通常の底脚を装着して支持する。
【００５１】
或いは、本実施例の家電製品用支持レベリング装置は４つのレベリング底脚を含めばよい。この場合、４つのレベリング底脚を２つずつ連通させるか、４つのレベリング底脚を互いに連通させる。本実施例における家電製品用支持レベリング装置の４つのレベリング底脚は、家電製品底部の四隅に装着される。
【００５２】
本実施例は、設計構造がシンプルでサイズが小さく、生産・製造が容易であり、且つ信頼性の高いレベリング底脚を提供することで、家電製品のレベリングを効果的に実現可能とする。
【実施例２】
【００５３】
本実施例は、上記実施例で記載した家電製品用支持レベリング装置を備える家電製品を提供する。当該家電製品はハウジングを含み、ハウジングの底部に複数の前記レベリング底脚が装着される。また、レベリング底脚の内部に充填された油圧媒体がレベリング底脚間で流動することでレベリングを実施可能である。
【００５４】
好ましくは、油圧パイプを介して少なくとも２つのレベリング底脚を連通することで、レベリング底脚間での油圧媒体の流動を実現する。
【００５５】
本発明の実施例では、洗濯機の場合を例示して、本発明のレベリング底脚により洗濯機の自動レベリングを実現する際の原理と方法について詳述する。洗濯機を設置したあと、地面が水平でない場合には、レベリング底脚ごとに水平高さが異なり、地面の窪みに位置するレベリング底脚の位置が低くなる。これから明らかなように、まずは高位置にあるレベリング底脚が洗濯機の重量を受け、且つ、大きな重力を受けるが、低位置にあるレベリング底脚は機能しないか、小さな重力を受ける。
【００５６】
高位置にあるレベリング底脚の調整脚は大きな圧力がかかって上方に変位するため、底脚の高さ全体が縮小し、油圧媒体が充満したフレキシブル収容体の中空室の容積が圧縮により縮小する。これにより、油圧媒体がオリフィス又は弁孔に進入し、高圧配管を通じて低位置のレベリング底脚内に進入する。すると、低位置のレベリング底脚におけるフレキシブル収容体の油圧媒体が増え続け、フレキシブル収容体が膨張することで調整脚を伸長させる。
【００５７】
高位置の底脚と低位置の底脚の油圧が同等となると、油圧媒体は高圧配管からそれ以上流動しなくなり、調整脚と洗濯機の底板との相対位置もそれ以上変化しなくなる。このようにして、洗濯機の自動調整が完了する。
【００５８】
洗濯機の洗浄又は脱水の過程でも、油圧媒体は緩やかに流動して自動レベリングを実施可能なため、洗濯機の震動による騒音が大幅に軽減される。
【００５９】
本実施例の油圧媒体には、流動性が良好で成分の安定した作動油を選択すればよい。
【００６０】
また、本発明の上記実施例におけるレベリング底脚は、例えば、冷蔵庫、冷凍庫、エアコン室内機といった洗濯機以外の家電製品にも応用可能である。
【００６１】
以上は本発明の好ましい実施例にすぎず、本発明を何らかの形式に制限するものではない。本発明については好ましい実施例によって上記のように開示したが、本発明を制限するとの主旨ではない。本発明の技術方案を逸脱しない範囲において、当業者が上記で提示した技術内容を用いて行うわずかな変形或いは補足は、同等に変形された等価の実施例とみなされ、いずれも本発明の技術方案の内容を逸脱するものではない。また、本発明の技術的本質に基づいて上記の実施例に加えられる簡単な修正、同等の変形及び補足は、いずれも本発明の方案の範囲内とされる。
【図１】
2020531193.tif 000003
【図２】
2020531193.tif 000004
【国際調査報告】
2020531193.tif 000005
2020531193.tif 000006
2020531193.tif 000007
2020531193.tif 000008
2020531193.tif 000009